(57)【要約】【課題】装置が大型化するため小規模な施設への設置が困難であった。また、フィルターにて微生物の除菌を行うため、フィルターを通過することがある。【解決手段】水素・酸素混合ガス発生装置と水素・酸素混合ガス燃焼炉を設け火炎により、炉内を高温に保つことにより、火炎殺菌及び加熱殺菌を行う。また、本装置は小規模から大規模までの設備に対応できる。【選択図】    図１
2004347307.tif 000002
【特許請求の範囲】
【請求項１】
水素・酸素混合ガス発生装置と、水素・酸素混合ガス燃焼炉と、該水素・酸素混合ガス燃焼炉中に、室内より空気を取り込み、吐き出す、送風機を備えてなることを特徴とする殺菌型空調装置
【請求項２】
室内より取り込む空気と、燃焼後の燃焼空気との熱交換手段を具備したことを特徴とする請求項１記載の殺菌型空調装置
【請求項３】
前記水素・酸素混合ガス燃焼炉中に、高温の一定の温度に保ったセラミクス等の粒状体層を設け、該粒状体層の隙間に、室内空気を通過させる如くしたことを特徴とする請求項１，２記載の殺菌型空調装置
【請求項４】
前記送風機は、前記水素・酸素混合ガス燃焼炉より上流側に配置することを特徴とする請求項１，２，３記載の殺菌型空調装置
【請求項５】
燃焼後の燃焼空気熱を冷却する水冷却手段を具備することを特徴とする請求項１，２，３，４記載の殺菌型空調装置
【発明の詳細な説明】
【０００１】
【発明の属する技術分野】
本発明は、様々な人が集まる公共施設・病院施設・個人などの施設に設置することで、微生物の殺菌を行い、感染防止を必要とされる施設に使用する殺菌型空調装置に関する。
【０００２】
【従来の技術】
各施設に設置された従来の空調システムは、エアーフィルター・空調機を介し温調された空気をダクト等にて送風して行われている。
【０００３】
そこで、微生物などを殺菌して衛生的な温調された空気を供給するために、図６に示すように流入用ダクト５２、室内に通じるダクト５３を備えた空調機５１があり、該空調機５１に空調清浄室５８の循環する空気を清浄化するためのフィルター５４，５５、温調用の冷温水コイル５６と送風機５７を備え、室内より吸引した空気に含まれる微生物を、前記フィルター５４，５５によってろ過を行い、除菌された空気を冷温水コイル５６で温調され、送風機５７にて室内に戻される。
【０００４】
また、微生物の除菌に使用された前記フィルター５４及びフィルター５５は空調清浄室５８及び滅菌室５９間を昇降装置６１，６２にて各々交互に配置され、前記滅菌室５９に位置するフィルターをオゾン発生器６０にて発生したオゾンを利用することで殺菌するシステムが知られている。（特開平８−２３３３１０）
【０００５】
【発明が解決しようとする課題】
しかし従来の方式では、大規模な施設など（例えば病院等）への設置は可能であるが、装置が大型化するため小規模な施設への設置が困難であった。また、前記フィルター５４，５５において微生物等の除菌を行うため、前記フィルター５４，５５を通過してしまうことがある。
【０００６】
【問題点を解決するための手段】
このため請求項１記載の発明は、水素・酸素混合ガス発生装置と、水素・酸素混合ガス燃焼炉と、該水素・酸素混合ガス燃焼炉中に、室内より空気を取り込み、吐き出す、送風機を備えた殺菌型空調装置である。
【０００７】
請求項２記載の発明は、室内より取り込む空気と、燃焼後の燃焼空気との熱交換手段を具備した殺菌型空調装置である。
【０００８】
請求項３記載の発明は、前記水素・酸素混合ガス燃焼炉中に、高温の一定の温度に保ったセラミクス等の粒状体層を設け、該粒状体層の隙間に、室内空気を通過させる如くした殺菌型空調装置である。
【０００９】
請求項４記載の発明は、前記送風機は、前記水素・酸素混合ガス燃焼炉より上流側に配置した殺菌型空調装置である。
【００１０】
請求項５記載の発明は、燃焼後の燃焼空気熱を冷却する水冷却手段を具備した殺菌型空調装置である。
【００１１】
【発明の実施の形態】
以下、本発明の実施の形態を図１ないし図５に従って説明する。
【００１２】
図１は、本発明に関する殺菌型空調装置の概略構成図である。図２は、図１の概略構成図に換気装置を追加した概略構成図の部分図である。図３は、本発明に関する殺菌型空調装置の上部を示した平面図である。図４は、本発明に関する殺菌型空調装置の下部を示した平面図である。図５は、本発明に関する殺菌型空調装置の燃焼炉を示した縦断面図である。図６は、従来の殺菌型空調装置を示した断面図である。
【００１３】
本発明の殺菌型空調装置１は、水素・酸素混合ガス発生器９と、水素・酸素混合ガス燃焼炉４と、該水素・酸素混合ガス燃焼炉４中に、室内より空気を取り込み、吐き出す、換気装置２を備えた殺菌型空調装置１である。
図１から４より、換気装置２を室内の１箇所または複数箇所に設置し、該換気装置２より室内の滅菌する空気を取り込みます。該換気装置２と前記殺菌型空調装置１間はダクトまたはパイプ（図記せず）等にて連通し、空気吸入室１４を経由して、熱交換器二次側入口１７より熱交換器３へ導かれます。
熱交換器二次側出口１８より出た空気は水素・酸素混合ガス燃焼炉４へ導かれ、水素・酸素混合ガスバーナー１１の火炎により滅菌される。更に、殺菌され高温になった空気は、熱交換器一次側入口１５より熱交換器３内で一次側より二次側への熱交換が行われる。これにより火炎殺菌させる空気の温度を室温より上昇させることができ、水素・酸素混合ガス発生装置から発生させるガス量を下げることが出来る。また、滅菌した空気を室内に循環させるため、室内の温度上昇を抑える効果も発生する。
前記熱交換器３から出た空気は水冷却器５を通し、より室温に近い温度まで降下したのち、滅菌された空気は、換気室より室内へ放出される。
次に、本装置には、電源装置及び制御装置８が搭載されており、マイコンを使用し監視及び制御は自動で行われている。
【００１４】
また図２は、図１の概略構成図の部分図であるが、本発明の滅菌型空調装置を大型化した場合の構成図である。
【００１５】
次に、図５は、セラミクス筒等からなる水素・酸素混合ガス燃焼炉４内に、２種類又はそれ以上からなる粒状体層２０，２１を交互に積層したセラミクス等を配置し、中心または複数箇所に、加熱用として設けたセラミクス１９等を配置する事により、炉内部には大小様々な通気孔（図記せず）ができ、該通気孔に換気装置２にて室内より取り込んだ空気を通過させる事により、水素・酸素混合ガスバーナーによる火炎殺菌とセラミクス１７からなる加熱殺菌が同時に行われる事となる。
よって、該水素・酸素混合ガス燃焼炉４において炉内温度を２００℃から５００℃に保持することにより微生物を燃焼することによる火炎殺菌と、加熱殺菌作用が同時に生まれる。
また、前記水素・酸素混合ガス燃焼炉４内の温度を一定に保つために、セラミクス等からなる粒状体層を採用している。
【００１６】
【発明の効果】
請求項１記載の発明は、該装置は小規模から大規模まで様々な施設得の対応が可能であり、火炎燃焼を行うため、炉の温度を自由に上下に制御でき様々な微生物への火炎燃焼が可能となる。また、水素２対、酸素１の混合ガスを使用しているため、燃焼に対する混合比率が良く完全燃焼ができ、燃焼後においては水（水蒸気）に還元され、同時に室内を加湿する作用が発生する。さらに、前記水素・酸素混合ガスは、ガス自身の酸素を使用し燃焼するため、室内の酸素は消費せず、燃焼による換気を必要としなくなる。
【００１７】
請求項２記載の発明は、燃焼後の廃熱を利用して、室内より取り込んだ空気に対し、熱交換をすることにより、これから火炎燃焼する空気の温度上昇をすることで、水素・酸素混合ガス使用量を下げても、炉の温度を一定に保つのに有効であり、また、燃焼後の殺菌された空気を室内に戻す際、室温に近い温度で循環するのが可能となる。
【００１８】
請求項３記載の発明は、水素・酸素混合ガス燃焼炉４の中に、セラミクス等の大小からなる粒を一定の体層形状に設ける事により炉内温度の調整及び同一容量の換気装置２を使用した場合においても温度の調整、流量の調整ができる。また、滅菌する空気が粒と粒の隙間を通過するのに隙間形状が乱雑な形をしているため空気がセラミクス等に常に当たり滅菌効果を向上させることが可能となる。
【００１９】
請求項４記載の発明は、水素・酸素混合ガス燃焼炉４より上流側に換気装置２を設けることで、電動機から出る粉塵（例えばブラシの粉塵）等も全て燃焼することが可能となる。
【００２０】
請求項５記載の発明は、熱交換器一次側出口１６より出た燃焼後の殺菌された空気を室内に戻す際、より室温に近い温度にでき、循環するのが可能となる。
【図面の簡単な説明】
【図１】本発明に関する殺菌型空調装置の概略構成図である。
【図２】図１の概略図に換気装置を追加した概略図の部分図である。
【図３】本発明に関する殺菌型空調装置の上部を示した平面図である。
【図４】本発明に関する殺菌型空調装置の下部を示した平面図である。
【図５】本発明に関する殺菌型空調装置の燃焼炉を示した縦断面図である。
【図６】従来の殺菌型空調装置を示した断面図である。
【符号の説明】
１、殺菌型空調装置
２・２−１、換気装置
３、熱交換器
４、水素・酸素混合ガス燃焼炉
５、水冷却器
６、空気排気室
７、殺菌した空気
８、電源及び制御装置
９、水素・酸素混合ガス発生器
１０、水タンク
１１、水素・酸素混合ガスバーナー
１２、断熱材
１３、空気吸入口
１４、空気吸入室
１５、熱交換器一次側入口
１６、熱交換器一次側出口
１７、熱交換器二次側入口
１８、熱交換器二次側出口
１９、加熱用セラミクス１９
２０、粒状体層（細）
２１、粒状体層（粗）
２２、メッシュ
５１、空調機
５２、流入用のダクト
５３、室内に通じるダクト
５４、エアーフィルター
５５、エアーフィルター
５６、冷温水コイル
５７、送風機
５８、空気清浄室
５９、滅菌室
６０、オゾン発生器
６１、昇降装置
【図１】
2004347307.tif 000003
【図２】
2004347307.tif 000004
【図３】
2004347307.tif 000005
【図４】
2004347307.tif 000006
【図５】
2004347307.tif 000007
【図６】
2004347307.tif 000008